(57)【要約】【課題】撮影者の意図に沿う撮影パラメータを容易に設定することができる撮影パラメータ調整装置を提供する。【解決手段】本発明は、撮影装置を制御するための撮影パラメータを調整する撮影パラメータ調整装置(20)であって、光学要素の駆動量を調整するための撮影パラメータを複数設定する撮影パラメータ設定部(20a)と、複数設定された撮影パラメータに基づいて撮影装置を制御する撮影制御部(20b)と、複数設定された撮影パラメータの各々に基づいて撮影装置によって撮影された複数の画像から選択画像を選択する画像選択部(20c)と、この画像選択部によって選択された選択画像の撮影に使用された駆動量を調整した撮影パラメータを特定する撮影パラメータ特定部(20d)と、この撮影パラメータ特定部によって特定された撮影パラメータの値を記憶部に記録する撮影パラメータ記録部(20e)と、を有することを特徴としている。【選択図】図２
2020013050.tif 000002
【特許請求の範囲】
【請求項１】
撮影する画像を補正する光学要素を駆動させて撮影を行う撮影装置を制御するための撮影パラメータを調整する撮影パラメータ調整装置であって、
上記光学要素の駆動量を調整するための上記撮影パラメータを複数設定する撮影パラメータ設定部と、
複数設定された上記撮影パラメータの各々に基づいて上記撮影装置を制御する撮影制御部と、
複数設定された上記撮影パラメータの各々に基づいて上記撮影装置によって撮影された複数の画像から選択画像を選択する画像選択部と、
上記画像選択部によって選択された選択画像の撮影に使用された上記撮影パラメータを特定する撮影パラメータ特定部と、
上記撮影パラメータ特定部によって特定された撮影パラメータの値を記憶部に記録する撮影パラメータ記録部と、
を有することを特徴とする撮影パラメータ調整装置。
【請求項２】
上記画像選択部は、上記複数の画像を外部の表示装置に出力すると共に、上記複数の画像のうちユーザにより選択された画像を上記選択画像として選択する請求項１記載の撮影パラメータ調整装置。
【請求項３】
上記撮影パラメータ設定部は、上記撮影パラメータを所定範囲で所定値ずつ変化するように設定し、
上記撮影制御部は、上記撮影パラメータを上記撮影パラメータ設定部により設定された所定範囲で所定値ずつ変化させながら自動的に複数の画像が撮影されるように、上記撮影装置に制御信号を送信する請求項１又は２に記載の撮影パラメータ調整装置。
【請求項４】
上記光学要素はフォーカシング用レンズであり、
上記撮影パラメータ設定部は、上記フォーカシング用レンズの合焦位置を上記撮影パラメータとして複数設定する、請求項１乃至３の何れか１項に記載の撮影パラメータ調整装置。
【請求項５】
上記光学要素は絞りであり、
上記撮影パラメータ設定部は、上記絞りによる絞り値を上記撮影パラメータとして複数設定する、請求項１乃至３の何れか１項に記載の撮影パラメータ調整装置。
【請求項６】
レンズ鏡筒と、
このレンズ鏡筒の内部に収容された光学要素と、
請求項１乃至５の何れか１項に記載の撮影パラメータ調整装置と、を有するレンズユニット。
【請求項７】
撮影パラメータ調整システムであって、
請求項１乃至５の何れか１項に記載の撮影パラメータ調整装置を内蔵したレンズユニットと、
電気的接続を介して、又は無線を介して上記レンズユニットに接続され、上記選択画像に関する情報を上記画像選択部に入力する情報入力装置と、
を有することを特徴とする撮影パラメータ調整システム。
【請求項８】
撮影パラメータ調整システムであって、
請求項１乃至５の何れか１項に記載の撮影パラメータ調整装置を内蔵した撮影装置と、
電気的接続を介して、又は無線を介して上記撮影装置に接続され、上記撮影制御部の制御信号に基づいて撮影された複数の画像のデータを取り込むと共に、取り込んだ複数の画像のデータから選択された選択画像に関する情報を、上記画像選択部に入力する情報入出力装置と、
を有することを特徴とする撮影パラメータ調整システム。
【請求項９】
撮影する画像を補正する光学要素を駆動させて撮影を行う撮影装置を制御するための撮影パラメータを調整する撮影パラメータ調整方法であって、
上記光学要素の駆動量を調整するための上記撮影パラメータを複数設定する撮影パラメータ設定ステップと、
複数設定された上記撮影パラメータの各々に基づいて上記撮影装置を制御する撮影制御ステップと、
複数設定された上記撮影パラメータの各々に基づいて上記撮影装置によって撮影された複数の画像から選択画像を選択する画像選択ステップと、
上記画像選択ステップにおいて選択された選択画像の撮影に使用された上記撮影パラメータを特定する撮影パラメータ特定ステップと、
上記撮影パラメータ特定ステップにおいて特定された撮影パラメータの値を記憶部に記録する撮影パラメータ記録ステップと、
を含むことを特徴とする撮影パラメータ調整方法。
【請求項１０】
上記光学要素はフォーカシング用レンズであり、
上記撮影パラメータ設定ステップにおいて、上記フォーカシング用レンズの合焦位置が上記撮影パラメータとして複数設定される、請求項９記載の撮影パラメータの調整方法。
【請求項１１】
上記光学要素は絞りであり、
上記撮影パラメータ設定ステップにおいて、上記絞りによる絞り値が上記撮影パラメータとして複数設定される、請求項９記載の撮影パラメータの調整方法。
【発明の詳細な説明】
【技術分野】
【０００１】
本発明は、撮影パラメータ調整装置、それを備えたレンズユニット、撮影パラメータ調整システム、及び撮影パラメータの調整方法に関する。
【背景技術】
【０００２】
現在、撮影画像のピント調整や、露出調整等を自動的に行う撮影装置が広く普及している。しかしながら、撮影装置に備えられた自動調整機能によって調整された合焦位置や、露出等は必ずしも撮影者の意図に沿うものとはならない場合がある。このような自動調整機能による合焦位置や露出等の設定を、使用者により変更することができる機能を備えた交換レンズユニットやカメラが知られている。また、自動調整機能によって調整された合焦位置や、露出等が意図に沿っていない場合には、交換レンズユニットやカメラをメーカーのサービスセンターに持ち込み、設定を変更してもらうこともできる。
【０００３】
また、特開２０１５−１１８２９５号公報（特許文献１）には、カメラが記載されている。このカメラは、画面内の複数の焦点検出エリアごとに焦点調節状態を検出する焦点検出部と、焦点検出部による検出結果に基づいて、複数の焦点検出エリアのうち略合焦している焦点検出エリアを示す表示を行う表示部と、手動操作に応じてフォーカス光学系を移動させる第１の焦点調節が終了すると、手動操作による移動後のフォーカス光学系の位置を起点に、焦点検出部による検出結果に基づいて自動でフォーカス光学系を移動させる第２の焦点調節を開始させる制御部と、を備えている。これにより、使用者は、自身の意図に合ったフォーカス合わせを行うことができる。
【先行技術文献】
【特許文献】
【０００４】
【特許文献１】特開２０１５−１１８２９５号公報
【発明の概要】
【発明が解決しようとする課題】
【０００５】
しかしながら、特許文献１記載のカメラにおいては、１回の撮影ごとに手動操作による第１の焦点調節と、この手動操作による移動後のフォーカス光学系の位置を起点とした、自動で行われる第２の焦点調節を行う必要があるため、撮影に手間がかかるという問題がある。また、自動で行われる第２の焦点調節による合焦位置が、カメラの個体差等により、撮影者の意図に沿わないものである場合には、結局、撮影者の意図に沿う合焦位置に自動でピント調整することはできないという問題がある。
【０００６】
一方、自動調整機能による合焦位置を使用者により変更することができる機能を備えた交換レンズユニット等において、合焦位置を調整する場合には、撮影者は、或る撮影パラメータを設定した上で撮影を行い、撮影した画像をコンピュータ等に取り込んで、画像を確認する。次いで、画像の合焦位置が意図に沿っていない場合には、撮影者は交換レンズユニットをカメラ本体から取り外し、交換レンズユニットを専用のパラメータ設定用装置に取り付けて、合焦位置に関する撮影パラメータを変更する。さらに、撮影パラメータが変更された交換レンズをカメラ本体に取り付けて再び同一条件で撮影を行い、撮影した画像をコンピュータ等に取り込んで画像を確認する。
【０００７】
撮影者は、この撮影パラメータの変更と、撮影した画像の確認を、満足できる合焦位置が得られるまで繰り返し行う必要があり、撮影パラメータの調整には非常に手間がかかるという問題がある。また、このような撮影パラメータの調整では、１回の撮影ごとに、交換レンズユニットのカメラ本体への取り付け、取り外し、画像の取り込み等を行う必要があるため、撮影ごとに完全に同一な撮影条件を設定することが困難になる。このため、微妙な撮影パラメータ調整の再現性が確保しにくく、満足できる調整結果が得にくいという問題がある。
【０００８】
従って、本発明は、撮影者の意図に沿う撮影パラメータを容易に設定することができる撮影パラメータ調整装置、それを備えたレンズユニット、撮影パラメータ調整システム、及び撮影パラメータの調整方法を提供することを目的としている。
【課題を解決するための手段】
【０００９】
上述した課題を解決するために、本発明は、撮影する画像を補正する光学要素を駆動させて撮影を行う撮影装置を制御するための撮影パラメータを調整する撮影パラメータ調整装置であって、光学要素の駆動量を調整するための撮影パラメータを複数設定する撮影パラメータ設定部と、複数設定された撮影パラメータに基づいて撮影装置を制御する撮影制御部と、複数設定された撮影パラメータの各々に基づいて撮影装置によって撮影された複数の画像から選択画像を選択する画像選択部と、この画像選択部によって選択された選択画像の撮影に使用された駆動量を調整した撮影パラメータを特定する撮影パラメータ特定部と、この撮影パラメータ特定部によって特定された撮影パラメータの値を記憶部に記録する撮影パラメータ記録部と、を有することを特徴としている。
【００１０】
このように構成された本発明においては、撮影制御部により撮影装置に制御信号が送信され、撮影パラメータ設定部において設定された複数の撮影パラメータに基づいて複数の画像が撮影される。このようにして撮影された複数の画像の中から、画像選択部が選択画像を選択する。撮影パラメータ特定部は、画像選択部によって選択された選択画像の撮影に使用された駆動量を調整した撮影パラメータを特定し、撮影パラメータ記録部は、特定された撮影パラメータの値を記憶部に記録する。
【００１１】
このように構成された本発明によれば、撮影パラメータを変化させた複数の画像が一回で撮影されるので、撮影パラメータの異なる複数の画像を簡単に、短時間で取得することができ、撮影パラメータを容易に調整することができる。また、撮影パラメータの異なる複数の画像が短時間で撮影されるので、各画像の撮影条件をほぼ完全に一致させることができ、信頼性の高い撮影パラメータの調整を行うことができる。
【００１２】
さらに、本発明のレンズユニットは、レンズ鏡筒と、このレンズ鏡筒の内部に収容された光学要素と、本発明の撮影パラメータ調整装置と、を有することを特徴としている。
【００１３】
また、本発明は、撮影パラメータ調整システムであって、本発明の撮影パラメータ調整装置を内蔵したレンズユニットと、電気的接続を介して、又は無線を介してレンズユニットに接続され、選択画像に関する情報を画像選択部に入力する情報入力装置と、を有することを特徴としている。
【００１４】
さらに、本発明は、撮影パラメータ調整システムであって、本発明の撮影パラメータ調整装置を内蔵した撮影装置と、電気的接続を介して、又は無線を介して撮影装置に接続され、撮影制御部の制御信号に基づいて撮影された複数の画像のデータを取り込むと共に、取り込んだ複数の画像のデータから選択された選択画像に関する情報を、画像選択部に入力する情報入出力装置と、を有することを特徴としている。
【００１５】
また、本発明は、撮影パラメータの調整方法であって、撮影装置を撮影パラメータ調整モードに設定するステップと、撮影装置を使用して、同一の被写体を、撮影パラメータを所定範囲で所定値ずつ変化させながら自動的に複数回撮影を行う撮影ステップと、この撮影ステップにおいて撮影された複数の画像から、最も好ましい画像を選択するステップと、選択された画像の撮影に使用した撮影パラメータの値を、撮影装置のメモリに格納するステップと、を有することを特徴としている。
【発明の効果】
【００１６】
本発明の撮影パラメータ調整装置、それを備えたレンズユニット、撮影パラメータ調整システム、及び撮影パラメータの調整方法によれば、撮影者の意図に沿う撮影パラメータを容易に設定することができる。
【図面の簡単な説明】
【００１７】
【図１】本発明の第１実施形態による撮影パラメータ調整システム全体を示す図である。
【図２】本発明の第１実施形態による撮影パラメータ調整装置を内蔵したレンズユニットをカメラ本体に装着した状態を示すブロック図である。
【図３】本発明の第１実施形態による撮影パラメータの調整方法を示すフローチャートである。
【図４】本発明の第１実施形態による撮影パラメータの調整方法を説明する図である。
【図５】本発明の第２実施形態による撮影パラメータの調整方法を説明する図である。
【発明を実施するための形態】
【００１８】
＜第１実施形態＞
まず、図１乃至図４を参照して、本発明の第１実施形態による撮影パラメータ調整システムを説明する。
【００１９】
＜撮影パラメータ調整システムの構成＞
図１は、本発明の第１実施形態による撮影パラメータ調整システム全体を示す図である。図２は、本発明の実施形態による撮影パラメータ調整装置を内蔵したレンズユニットをカメラ本体に装着した状態を示すブロック図である。
【００２０】
図１に示すように、本発明の実施形態による撮影パラメータ調整システム１は、レンズユニット２と、このレンズユニット２に情報を入力するための情報入力装置４と、を有する。さらに、情報入力装置４は、レンズユニット２に装着される装着タップ４ａと、この装着タップ４ａを制御するためのコントローラ４ｂから構成されている。本実施形態においては、コントローラ４ｂは、パーソナルコンピュータに専用のアプリケーションソフトをインストールすることにより構成されている。
【００２１】
また、コントローラ４ｂは、ＵＳＢ（Universal Serial Bus）ケーブル等により装着タップ４ａと接続することができる。さらに、装着タップ４ａをレンズユニット２に装着することにより、装着タップ４ａに設けられた電気接点（図示せず）と、レンズユニット２に設けられた電気接点（図示せず）が接続され、相互に電気信号を入出力することができる。また、変形例として、装着タップ４ａとコントローラ４ｂの間や、装着タップ４ａとレンズユニット２の間をＷｉ−Ｆｉ等による無線で接続することもできる。さらに、装着タップ４ａとコントローラ４ｂを一体の装置で構成することもできる。
【００２２】
＜レンズユニットの構成＞
次に、図２を参照して、レンズユニット２の構成を説明する。レンズユニット２は、これを撮影装置であるカメラ本体６に装着して撮影を行うように構成されている。なお、レンズユニットとカメラ本体が一体に構成された撮影装置に本発明を適用することもできる。
【００２３】
カメラ本体６に装着したレンズユニット２によりオートフォーカス（ＡＦ）機能を使用して撮影を行うと、レンズユニット２に入射した物体光に基づいてカメラ本体６が合焦位置を検出し、合焦位置を表す信号をレンズユニット２に出力する。レンズユニット２は、カメラ本体６から入力された信号に基づいて、内蔵されている光学要素であるフォーカシング用レンズを駆動し、次いでカメラ本体６はシャッターを開き、合焦された像がカメラ本体６の固体撮像素子上に形成される。本実施形態においては、撮影パラメータ調整システム１の一部を構成する撮影パラメータ調整装置が、レンズユニット２に内蔵されている。撮影パラメータ調整装置は、カメラ本体６から入力された合焦位置を表す信号に基づいてフォーカシング用レンズの駆動量を微調整し、撮影者の意図に沿う合焦位置が得られるよう調整を行うためのものである。なお、撮影パラメータ調整装置は、カメラ本体側に内蔵させたり、レンズユニット及びカメラ本体の両方に分散して内蔵させたりすることもできる。或いは、撮影パラメータ調整装置を、レンズユニット及びカメラ本体からなる撮影装置の外部に設けることもできる。
【００２４】
図２に示すように、レンズユニット２は、レンズ鏡筒８と、撮像用レンズ１０と、ズーミング用レンズ１２と、フォーカシング用レンズ１４と、絞り１６と、レンズ制御部１８と、を有する。さらに、レンズユニット２には、撮影パラメータ調整システム１の一部を構成する撮影パラメータ調整装置２０が内蔵されている。さらに、レンズ制御部１８には、ＡＦ基本データ及び合焦補正値を記憶するための記憶部１８ａと、フォーカシング用レンズ１４を駆動するためのレンズ駆動制御回路１８ｂが内蔵されている。
【００２５】
レンズ鏡筒８は、内部に撮像用レンズ１０、ズーミング用レンズ１２、及びフォーカシング用レンズ１４を保持した筒状の部材である。マニュアルフォーカス時において使用者がフォーカスリング（図示せず）を操作することにより、フォーカシング用レンズ１４が光軸方向に移動され、合焦位置を手動で調整することができると共に、ズームリング（図示せず）を操作することにより、ズーミング用レンズ１２が光軸方向に移動され、画角を調整することができるようになっている。
【００２６】
レンズ制御部１８に内蔵された記憶部１８ａには、ＡＦ基本データ及び合焦補正値が記憶されている。レンズ駆動制御回路１８ｂは、レンズユニット２のマウント部の電気接点２ａを介してカメラ本体６から送信されたレンズ駆動信号と、記憶部１８ａに記憶されているＡＦ基本データ及び合焦補正値に基づいて自動合焦位置を算出し、この算出結果に基づいてフォーカシング用レンズ１４を合焦点に移動させるように構成されている。また、電気接点２ａは、レンズユニット２に装着タップ４ａを装着した場合において、装着タップ４ａとレンズユニット２を電気的に接続する接点としても機能する。
【００２７】
レンズ制御部１８及び撮影パラメータ調整装置２０は、例えば、マイクロプロセッサ、メモリ、及びこれらを作動させるソフトウェア等により構成することができる。また、レンズ駆動制御回路１８ｂは、マイクロプロセッサからの制御信号に基づいてフォーカシング用レンズ１４を駆動するアクチュエータ及びその駆動回路によって構成することができる。
【００２８】
カメラ本体６は、レンズマウント２４と、ミラー２６と、シャッター２８と、固体撮像素子３０と、位相差検出部３２と、ボディ制御部３４と、表示部３６と、画像情報メモリ３８と、操作部４０とを備えている。
【００２９】
レンズマウント２４は、レンズユニット２を簡単な操作でカメラ本体６に着脱できるように構成されていると共に、レンズユニット２に設けられた電気接点２ａと接触して、電気信号を入出力するための電気接点２４ａを備えている。
【００３０】
固体撮像素子３０はレンズユニット２を介して入射する被写体からの光束が結像する結像面に配置され、結像した像の光量に応じた電気信号を出力する光電変換を行うように構成されている。なお、本実施形態においては、固体撮像素子３０を備えたデジタルカメラに本発明を適用しているが、フィルムカメラに本発明を適用することもできる。
【００３１】
位相差検出部３２は、レンズユニット２を介して入射した被写体からの光束をミラー２６により反射させ、瞳分割により得られる一対の画像出力をボディ制御部３４へ出力するように構成されている。
【００３２】
さらに、ボディ制御部３４は、画像データ生成部３４ａとＡＦ制御部３４ｂとを内蔵している。
【００３３】
ボディ制御部３４は、レンズユニット２及びカメラ本体６からなる撮像装置全体の制御を行うように構成されている。ボディ制御部３４に内蔵されたＡＦ制御部３４ｂは、位相差検出部３２から入力された信号に基づいて、レンズユニット２の焦点調整状態（デフォーカス量）を算出し、デフォーカス量に応じたレンズ駆動信号をレンズマウント２４の電気接点２４ａを介してレンズ制御部１８に送る。このレンズ駆動信号にはフォーカシング用レンズを合焦点に移動させるための駆動量を示す情報が含まれている。レンズユニット２においては、上記のように、レンズ駆動信号に基づいてオートフォーカス制御が行われる。フォーカシング用レンズ１４を合焦点に移動させることにより、レンズユニット２を介して入射する被写体からの光束が固体撮像素子３０に結像する。
【００３４】
ボディ制御部３４に内蔵された画像データ生成部３４ａは、固体撮像素子３０に備えられた撮像センサから読み出す信号に基づく画像データを表示部３６に出力するとともに、この画像データを画像情報メモリ３８に記憶させるように構成されている。
【００３５】
操作部４０は、使用者の意図をボディ制御部３４へ入力するためのインターフェイスであり、これを操作することにより表示部３６への表示切り替えや、表示される画像の拡大、縮小等々の操作を行うことができる。
【００３６】
一方、レンズユニット２に内蔵された撮影パラメータ調整装置２０は、撮影パラメータ設定部２０ａと、撮影制御部２０ｂと、画像選択部２０ｃと、撮影パラメータ特定部２０ｄと、撮影パラメータ記録部２０ｅと、を有する。
【００３７】
撮影パラメータ設定部２０ａは、撮影パラメータ設定モードが起動された場合に、合焦位置を所定範囲で所定値ずつ変化させた複数の撮影パラメータを設定するように構成されている。
撮影制御部２０ｂは、撮影パラメータ設定部２０ａによって設定された撮影パラメータに基づいて、自動的に複数の画像が撮影されるように、制御信号を撮影装置のレンズ制御部１８に送信するように構成されている。即ち、レンズユニット２をカメラ本体６から取り外し、図１に示すようにレンズユニット２に装着タップ４ａを装着した状態でコントローラ４ｂから信号を送ることにより、撮影パラメータ設定モードを起動させることができる。撮影パラメータ設定モードにおける作用については後述する。なお、レンズユニット２に設けられたスイッチ（図示せず）を操作することにより、レンズユニット２をカメラ本体６から取り外すことなく撮影パラメータ設定モードが起動できるように本発明を構成することもできる。
【００３８】
画像選択部２０ｃは、撮影制御部２０ｂの制御信号に基づいて撮影された複数の画像の中から選択された１つの選択画像に関する情報を入力するように構成されている。
また、撮影パラメータ特定部２０ｄは、画像選択部２０ｃに入力された選択画像に関する情報に基づいて、その選択画像の撮影に使用した撮影パラメータ（合焦位置）の値（移動量）を特定するように構成されている。
【００３９】
撮影パラメータ記録部２０ｅは、撮影パラメータ特定部２０ｄによって特定された合焦位置の値を出力して、レンズ制御部１８の記憶部１８ａに格納させるように構成されている。
これら画像選択部２０ｃ、撮影パラメータ特定部２０ｄ、及び撮影パラメータ記録部２０ｅの作用についても後述する。
【００４０】
＜撮影パラメータ調整方法＞
次に、図３及び図４を参照して、本発明の実施形態による撮影パラメータの調整方法を説明する。
図３は、本発明の実施形態による撮影パラメータの調整方法を示すフローチャートである。図４は、本発明の実施形態による撮影パラメータの調整方法を説明する図である。
【００４１】
まず、図３のステップＳ１においては、レンズユニット２及びカメラ本体６からなる撮影装置が撮影パラメータ調整モードに設定される。具体的には、上述したように、レンズユニット２に装着タップ４ａを装着した状態でコントローラ４ｂから信号を送ることにより、撮影パラメータ設定モードを起動させる。コントローラ４ｂとして使用されるパーソナルコンピュータには、専用のアプリケーションソフトを起動しておき、この状態で画面上の操作ボタンをクリックすることにより撮影パラメータ設定モードを起動させる。即ち、アプリケーションソフトの操作により、コントローラ４ｂから装着タップ４ａを介してレンズユニット２に制御信号が送られ、撮影パラメータ調整モードが設定される。
【００４２】
また、この際、アプリケーションソフト上で、撮影パラメータを変化させる範囲、及びこの範囲内で撮影パラメータを変化させる値を指定しておくことができる。本実施形態においては、撮影パラメータとして、ピントの自動調整時における合焦位置を調整するので、結像位置を移動させる範囲と、この範囲内で結像位置を移動させるピッチを指定する。例えば、結像位置を移動させる範囲を±１００μｍ、移動させるピッチを１０μｍに指定する。このように指定することにより、撮影パラメータ設定ステップとして、デフォルトで設定されている結像位置と、その結像位置の両側に１０μｍ間隔で１０ヶ所ずつ結像位置が指定される。これらの情報は、レンズユニット２に内蔵された撮影パラメータ調整装置２０の撮影パラメータ設定部２０ａに転送され、記憶される。撮影パラメータ設定部２０ａは、各結像位置に対応する複数の撮影パラメータ（フォーカシング用レンズ１４の駆動量）を設定する。
【００４３】
次に、ステップＳ２においては、撮影制御ステップとして、レンズユニット２及びカメラ本体６からなる撮影装置を使用して、同一の被写体が、所定範囲で所定値ずつ変化させた複数の撮影パラメータについて自動的に複数回撮影される。即ち、ステップＳ１において撮影パラメータ設定モードを起動した後、レンズユニット２から装着タップ４ａを取り外し、レンズユニット２をカメラ本体６に装着する。さらに、レンズユニット２を被写体に向けてカメラ本体６を三脚（図示せず）で固定し、カメラ本体６のレリーズボタン（図示せず）を操作する。撮影パラメータ設定モードが起動された状態でレリーズボタンが操作されると、ステップＳ１において指定された各結像位置（撮影パラメータ）で自動的に撮影が行われる。
【００４４】
具体的には、撮影パラメータ設定モードが起動された状態でレリーズボタンが操作されると、レンズユニット２に内蔵された撮影パラメータ調整装置２０の撮影制御部２０ｂから、カメラ本体６のボディ制御部３４に制御信号が送られ、結像位置を変化させながら自動的に繰り返し撮影が行われる。即ち、図４に示すように、デフォルトで設定されている結像位置を含め、その前ピン側で１０回、後ピン側で１０回の合計２１回の撮影が自動的に連続して行われ、２１枚の画像がブラケット撮影される。ここで、これらのブラケット撮影は短時間で連続的に行われるため、被写体の撮影条件をほぼ完全に一致させることができる。この結果、撮影された２１枚の画像を比較することで、結像位置の違いによる画像の変化を純粋に比較することが可能になる。また、本実施形態においては、撮影された画像のデータはカメラ本体６の画像情報メモリ３８に格納される。
【００４５】
さらに、ステップＳ３においては、ステップＳ２において撮影された複数の画像から、画像選択ステップとして、最も好ましい画像が選択される。即ち、ステップＳ２において結像位置を変化させながら撮影した２１枚の画像のデータが、カメラ本体６の画像情報メモリ３８からコンピュータに読み出され、各画像がディスプレイに表示される。画像のデータを読み出すコンピュータとして、コントローラ４ｂとして使用しているコンピュータを使用することもできる。撮影者は、コンピュータのディスプレイに表示される各画像を比較して、ピント位置が最も自身の意図に沿っている画像を選択画像として決定する。
【００４６】
なお、選択画像の決定は、コンピュータに読み出された画像のデータをプリンタでプリントアウトしたものを比較することによって行っても良い。或いは、コンピュータに読み出すことなく、画像情報メモリ３８に格納された画像データをカメラ本体６の表示部３６に表示させることによって比較し、選択画像を決定しても良い。また、選択画像の決定は、撮影者が人為的に行うのではなく、コンピュータ上のアプリケーションソフトを使用して画像解析を行い、ソフトウェアによって決定しても良い。この場合には、撮影された画像データの読み出しから、選択画像の決定までを自動的に行うこともできる。或いは、カメラ本体６のボディ制御部３４に画像解析用のソフトウェアを組み込んでおき、画像データをカメラ本体６から読み出すことなく、自動的に選択画像を決定するように本発明を構成することもできる。
【００４７】
次に、ステップＳ４においては、撮影者は、選択した最も好ましい画像に関する情報を、レンズユニット２の撮影パラメータ調整装置２０に入力する。即ち、レンズユニット２をカメラ本体６から取り外し、レンズユニット２に装着タップ４ａを再び装着する。一方、結像位置を変化させながら撮影した各画像の端には、画像を識別するための通し番号が付されており、撮影者は、選択した画像に付されている番号を、コントローラ４ｂ上で起動しているアプリケーションソフトを介して撮影パラメータ調整装置２０に入力する。例えば、撮影された２１枚の画像のうち、Ｎｏ．７の画像のピント位置が撮影者の意図に沿っている場合には、撮影者は、選択画像の番号として「７」をコントローラ４ｂ介して入力する。
【００４８】
さらに、ステップＳ５においては、撮影パラメータ特定ステップとして、選択された画像の撮影に使用した撮影パラメータの値が特定される。最後に、撮影パラメータ記録ステップとして、特定された撮影パラメータの値がレンズユニット２に内蔵されたレンズ制御部１８の記憶部１８ａに格納される。即ち、撮影者が選択画像の番号「７」をコントローラ４ｂに入力すると、この選択画像に関する情報は、装着タップ４ａを介してレンズユニット２に内蔵された撮影パラメータ調整装置２０の画像選択部２０ｃに入力される。従って、装着タップ４ａ及びコントローラ４ｂは、選択画像に関する情報を、画像選択部２０ｃに入力する情報入力装置として機能する。
【００４９】
また、本実施形態においては、選択画像に関する情報の入力を装着タップ４ａ及びコントローラ４ｂによって行っているが、変形例として、選択画像に関する情報の入力に加え、結像位置を変化させながら撮影した複数の画像データの読み出しも単一の装置で行うように本発明を構成することもできる。例えば、専用のアプリケーションソフトをインストールしたパーソナルコンピュータを、有線又は無線でレンズユニット２又はカメラ本体６に接続し、複数の画像データの読み出し、及び選択画像に関する情報の入力を行うように本発明を構成することもできる。この場合には、専用のアプリケーションソフトをインストールしたパーソナルコンピュータが、情報入出力装置として機能する。
【００５０】
選択画像に関する情報が画像選択部２０ｃに入力されると、撮影パラメータ特定部２０ｄは、この情報に基づいて、その選択画像の撮影に使用した撮影パラメータの値を特定する。具体的には、撮影者が選択した番号「７」の画像を撮影した際に使用した結像位置の値が、撮影パラメータの値として特定される。
【００５１】
撮影パラメータ特定部２０ｄによって撮影パラメータの値が特定されると、撮影パラメータ記録部２０ｅは、特定された撮影パラメータの値を出力して、レンズ制御部１８の記憶部１８ａに格納させる。このように、撮影パラメータの値を記憶部１８ａに記憶させておくことにより、以後、レンズユニット２を使用して撮影を行った場合には、記憶している撮影パラメータに従ってデフォルトの設定が補正される。即ち、本実施形態においては、デフォルトで設定されている結像位置が以後の撮影では補正され、撮影者が選択した番号「７」の画像に相当する結像位置が得られるように、フォーカシング用レンズ１４が位置決めされ、撮影が行われる。
【００５２】
＜本発明の第１実施形態の効果＞
本発明の実施形態の撮影パラメータ調整装置２０によれば、撮影パラメータを変化させた複数の画像が一回で自動的に撮影されるので（図３のステップＳ２、図４）、撮影パラメータの異なる複数の画像を簡単に、短時間で取得することができ、撮影パラメータを容易に調整することができる。また、撮影パラメータの異なる複数の画像が短時間で撮影されるので、各画像の撮影条件をほぼ完全に一致させることができ、信頼性の高い撮影パラメータの調整を行うことができる。
【００５３】
また、本実施形態の撮影パラメータ調整装置２０によれば、撮影制御部２０ｂは、合焦位置が異なる複数の画像が、自動ピント調整により撮影されるように、カメラ本体６に制御信号を送信するので、撮影者の意図に沿うピント位置を容易に設定することができる。
【００５４】
本実施形態の撮影パラメータ調整装置２０によれば、撮影制御部２０ｂが、撮影パラメータ設定部２０ａにより複数設定された合焦位置の各々に基づいて、合焦位置の異なる複数の画像が撮影されるよう撮影装置を制御することができる。そして、ユーザは合焦位置の異なる複数の画像から、自身が気に入る合焦位置で撮影された画像を選択することで、簡単に合焦位置に関する撮影パラメータを設定することができる。
【００５５】
＜第２実施形態＞
次に、図５を参照して、本発明の第２実施形態による撮影パラメータ調整システム及び撮影パラメータ調整方法を説明する。
上述した本発明の第１実施形態においては、撮影パラメータとして、フォーカシング用レンズによる合焦位置が調整されていた。これに対し、本実施形態においては、撮影パラメータとして、自動露出調整機能によって設定される絞り込み量（絞り値）が調整される点が上述した第１実施形態とは異なっている。従って、ここでは、本実施形態の、第１実施形態とは異なる点のみを説明し、同様の構成、作用、効果については説明を省略する。
【００５６】
本実施形態の撮影パラメータ調整方法においては、図３のステップＳ１において撮影装置が撮影パラメータ調整モードに設定された際、アプリケーションソフト上で、撮影パラメータを変化させる範囲、及び撮影パラメータを変化させる値を指定する。本実施形態においては、撮影パラメータとして、露出の自動調整時における絞り込み量を調整するので、絞り込み量を調整する範囲と、この範囲内で絞り込み量を変化させるピッチを指定する。例えば、絞り込み量を調整する範囲を±３ｅＶ（Exposure Value）、変化させるピッチを０．３ｅＶに指定する。このように指定することにより、撮影パラメータ設定部２０ａは、デフォルトで設定されている絞り込み量と、その絞り込み量の両側に０．３ｅＶ間隔で１０ヶ所ずつ絞り込み量（絞り１６の絞り羽根の位置）を設定する。これらの撮影パラメータは撮影パラメータ調整装置２０に記憶される。
【００５７】
次に、ステップＳ２においては、レンズユニット２及びカメラ本体６からなる撮影装置を使用して、同一の被写体が、所定範囲で所定値ずつ変化させた複数の撮影パラメータについて自動的に複数回撮影される。即ち、ステップＳ１において撮影パラメータ設定モードを起動した後、レンズユニット２から装着タップ４ａを取り外し、レンズユニット２をカメラ本体６に装着する。さらに、レンズユニット２を被写体に向けてカメラ本体６を三脚（図示せず）で固定し、カメラ本体６のレリーズボタン（図示せず）を操作する。撮影パラメータ設定モードが起動された状態でレリーズボタンが操作されると、ステップＳ１において指定された各絞り込み量（撮影パラメータ）で自動的に撮影が行われる。
【００５８】
具体的には、撮影パラメータ設定モードが起動された状態でレリーズボタンが操作されると、レンズユニット２に内蔵された撮影パラメータ調整装置２０の撮影制御部２０ｂから、カメラ本体６のボディ制御部３４に制御信号が送られ、絞り込み量を変化させながら自動的に繰り返し撮影が行われる。即ち、図５に示すように、デフォルトで設定されている絞り込み量を含め、その露出アンダー側で１０回、露出オーバー側で１０回の合計２１回の撮影が自動的に連続して行われ、２１枚の画像がブラケット撮影される。また、撮影された画像のデータはカメラ本体６の画像情報メモリ３８に格納される。
【００５９】
さらに、ステップＳ３においては、撮影ステップであるステップＳ２において撮影された複数の画像から、最も好ましい画像が選択される。即ち、ステップＳ２において絞り込み量を変化させながら撮影した２１枚の画像のデータが、カメラ本体６の画像情報メモリ３８からコンピュータに読み出され、各画像がディスプレイに表示される。撮影者は、コンピュータのディスプレイに表示される各画像を比較して、露出が最も自身の意図に沿っている画像を選択画像として決定する。
【００６０】
次に、ステップＳ４においては、撮影者は、選択した最も好ましい画像に関する情報を、レンズユニット２の撮影パラメータ調整装置２０に入力する。即ち、撮影者は、選択した画像に付されている番号を、コントローラ４ｂ上で起動しているアプリケーションソフトを介して撮影パラメータ調整装置２０に入力する。例えば、撮影された２１枚の画像のうち、Ｎｏ．４の画像の露出が撮影者の意図に沿っている場合には、撮影者は、選択画像の番号として「４」をコントローラ４ｂ介して入力する。
【００６１】
最後に、ステップＳ５においては、選択された画像の撮影に使用した撮影パラメータの値（絞り羽根の駆動量）が、レンズユニット２に内蔵されたレンズ制御部１８の記憶部１８ａに格納される。即ち、撮影者が選択画像の番号「４」をコントローラ４ｂに入力すると、この選択画像に関する情報は、装着タップ４ａを介してレンズユニット２に内蔵された撮影パラメータ調整装置２０の画像選択部２０ｃに入力される。
【００６２】
選択画像に関する情報が画像選択部２０ｃに入力されると、撮影パラメータ特定部２０ｄは、この情報に基づいて、その選択画像の撮影に使用した撮影パラメータの値を特定する。具体的には、撮影者が選択した番号「４」の画像を撮影した際に使用した絞り込み量が、撮影パラメータの値として特定される。
【００６３】
撮影パラメータ特定部２０ｄによって撮影パラメータの値が特定されると、撮影パラメータ記録部２０ｅは、特定された撮影パラメータの値を出力して、レンズ制御部１８の記憶部１８ａに格納させる。このように、撮影パラメータの値を記憶部１８ａに記憶させておくことにより、以後、レンズユニット２を使用して撮影を行った場合には、デフォルトで設定されている絞り込み量が以後の撮影では補正され、撮影者が選択した番号「４」の画像に相当する露出が得られるように、絞り１６の羽根が位置決めされ、撮影が行われる。
【００６４】
本実施形態の撮影パラメータ調整装置２０によれば、撮影制御部２０ｂが、撮影パラメータ設定部２０ａにより複数設定された絞り込み量の各々に基づいて、絞り込み量の異なる複数の画像が撮影されるよう撮影装置を制御することができる。そして、ユーザは絞り込み量の異なる複数の画像から、自身が気に入る絞り込み量で撮影された画像を選択することで、簡単に絞り込み量に関する撮影パラメータを設定することができる。
【００６５】
以上、本発明の好ましい実施形態を説明したが、上述した実施形態に種々の変更を加えることができる。特に、上述した本発明の実施形態の撮影パラメータ調整装置においては、撮影パラメータとして、ＡＦ機能を使用した撮影時における結像位置（ピント位置）、露出を調整していたが、これら以外の任意の撮影パラメータの調整に本発明を適用することができる。例えば、画角等の調整に本発明を適用することもできる。
【符号の説明】
【００６６】
１    撮影パラメータ調整システム
２    レンズユニット
２ａ  電気接点
４    情報入力装置
４ａ  装着タップ
４ｂ  コントローラ
６    カメラ本体
８    レンズ鏡筒
１０    撮像用レンズ
１２    ズーミング用レンズ
１４    フォーカシング用レンズ（光学要素）
１６    絞り
１８    レンズ制御部
１８ａ  記憶部
１８ｂ  レンズ駆動制御回路
２０    撮影パラメータ調整装置
２０ａ  撮影パラメータ設定部
２０ｂ  撮影制御部
２０ｃ  画像選択部
２０ｄ  撮影パラメータ特定部
２０ｅ  撮影パラメータ記録部
２４    レンズマウント
２４ａ  電気接点
２６    ミラー
２８    シャッター
３０    固体撮像素子
３２    位相差検出部
３４    ボディ制御部
３４ａ  画像データ生成部
３４ｂ  ＡＦ制御部
３６    表示部
３８    画像情報メモリ
４０    操作部
【図１】
2020013050.tif 000003
【図２】
2020013050.tif 000004
【図３】
2020013050.tif 000005
【図４】
2020013050.tif 000006
【図５】
2020013050.tif 000007